(57)【要約】【課題】異なる通信方式で被測定デバイスと通信可能な擬似基地局装置において、実時間動作速度以下の任意の速度で試験が行えるようにする。【解決手段】被測定デバイス１に供給されている第１クロックＣＫ１をクロック入力端子２０ａから受け入れる。第２クロック発生部２４は、第１クロックＣＫ１またはその分周信号に対する間引き処理を行い、第１通信方式の規格上のシンボルレートの整数倍と第２通信方式の規格上のシンボルレートの整数倍との比に比例したレートの第２クロックＣＫ２を生成する。第１送受信処理部２３は第１通信方式で送受信処理を行い、第１クロックＣＫ１に対応する第１レートでインタフェース３０との間の信号の授受を行う。第２送受信処理部２５は、第２クロックＣＫ２に対応する第２レートによる信号出力処理および第２レートまたはその整数倍の第３レートで入力される信号の受信処理を第２通信方式で行う。レート変換部２７、２８は、インタフェース３０と第２送受信処理部２５との間のレート変換を行う。【選択図】図１
2007142853.tif 000002
【特許請求の範囲】
【請求項１】
第１通信方式（Ｗ−ＣＤＭＡ）および該第１通信方式に対して少なくとも規格上のシンボルレートが低い第２通信方式（ＧＳＭ）により基地局装置と通信が可能な移動端末機に用いられ、且つ前記２つの通信方式による通信を共通のデバイスインタフェース（１ａ）を介して行えるように構成された被測定デバイス（１）の試験を行うための擬似基地局装置であって、
前記被測定デバイスの少なくともデバイスインタフェースに供給されているクロックを、第１クロック（ＣＫ１）として外部から入力するためのクロック入力端子（２０ａ）と、
前記第１通信方式で前記被測定デバイスを試験するための第１送信データ（Ｄｓ１）を出力し、前記第１通信方式で受信された第１受信データ（Ｄｒ１）の解析を行い、前記第２通信方式で前記被測定デバイスを試験するための第２送信データ（Ｄｓ２）を出力し、前記第２通信方式で受信された第２受信データ（Ｄｒ２）の解析を行う制御部（２１）と、
前記第１送信データに対する符号化処理および変調処理を前記第１通信方式に準じて行い、前記第１クロックに対応する第１レート（ＲＴ１）の第１送信信号（Ｓ１）を出力するとともに、前記第１レートで入力される第１受信信号（Ｒ１）に対する復調処理および復号化処理を前記第１通信方式に準じて行い、前記第１受信データを前記制御部に出力する第１送受信処理部（２３）と、
前記第１クロックまたはその分周信号に対する間引き処理を行い、前記第１通信方式の規格上のシンボルレートの整数倍と前記第２通信方式の規格上のシンボルレートの整数倍との比（γ）に比例したレートの第２クロック（ＣＫ２Ｔ、ＣＫ２Ｒ）を生成する第２クロック発生部（２４）と、
前記第２送信データに対する符号化処理および変調処理を前記第２通信方式に準じて行い、前記第２クロックに対応する第２レート（ＲＴ２）の第２送信信号（Ｓ２）を出力するとともに、前記第２レートまたはその整数倍の第３レートで入力される第２受信信号（Ｒ２）に対する復調処理および復号化処理を前記第２通信方式に準じて行い、前記第２受信データを前記制御部に出力する第２送受信処理部（２５）と、
前記第２送受信処理部から出力された第２送信信号のレートを、前記第１レートに変換して第３送信信号（Ｓ２′）として出力する第１レート変換部（２７）と、
前記第１レートで入力される第３受信信号（Ｒ２′）を前記第２レートまたは前記第３レートに変換し前記第２受信信号として前記第２送受信処理部に出力する第２レート変換部（２８）と、
前記第１クロックを受け、前記第１送受信処理部から出力された第１送信信号と前記第１レート変換部から出力された前記第３送信信号のいずれかを選択的に前記被測定デバイスに前記第１レートで与え、該被測定デバイスから出力された受信信号を前記第１受信信号および前記第３受信信号として前記第１送受信処理部および前記第２レート変換部に与えるインタフェース部（３０）とを備えた擬似基地局装置。
【請求項２】
前記インタフェース部は、前記被測定デバイスとの間でデジタルのベースバンド信号を授受することを特徴とする請求項１記載の擬似基地局装置。
【請求項３】
前記インタフェース部は、前記被測定デバイスとの間でアナログのベースバンド信号を授受することを特徴とする請求項１記載の擬似基地局装置。
【請求項４】
第１通信方式（Ｗ−ＣＤＭＡ）および該第１通信方式に対して少なくとも規格上のシンボルレートが低い第２通信方式（ＧＳＭ）により基地局装置と通信が可能な移動端末機に用いられ、且つ前記２つの通信方式による通信をそれぞれ独立したデバイスインタフェース（１ｂ、１ｃ）を介して行えるように構成された被測定デバイス（１）の試験を行うための擬似基地局装置であって、
前記被測定デバイスの前記第１通信方式に対応したデバイスインタフェースに供給されているクロックを、第１クロック（ＣＫ１）として外部から入力するためのクロック入力端子（２０ａ）と、
前記第１通信方式で前記被測定デバイスを試験するための第１送信データ（Ｄｓ１）を出力し、前記第１通信方式で受信された第１受信データ（Ｄｒ１）の解析を行い、前記第２通信方式で前記被測定デバイスを試験するための第２送信データ（Ｄｓ２）を出力し、前記第２通信方式で受信された第２受信データ（Ｄｒ２）の解析を行う制御部（２１）と、
前記第１送信データに対する符号化処理および変調処理を前記第１通信方式に準じて行い、前記第１クロックに対応する第１レート（ＲＴ１）の第１送信信号（Ｓ１）を出力するとともに、前記第１レートで入力される第１受信信号（Ｒ１）に対する復調処理および復号化処理を前記第１通信方式に準じて行い、前記第１受信データを前記制御部に出力する第１送受信処理部（２３）と、
前記第１クロックまたはその分周信号に対する間引き処理を行い、前記第１通信方式の規格上のシンボルレートの整数倍と前記第２通信方式の規格上のシンボルレートの整数倍との比（γ）に比例したレートの第２クロック（ＣＫ２）を生成する第２クロック発生部（２４）と、
前記第２クロックを前記被測定デバイスの前記第２通信方式に対応したデバイスインタフェースに供給するためのクロック出力端子（２０ｂ）と、
前記第２送信データに対する符号化処理および変調処理を前記第２通信方式に準じて行い、前記第２クロックに対応する第２レート（ＲＴ２）の第２送信信号（Ｓ２）を出力するとともに、前記第２レートで入力される第２受信信号（Ｒ２）に対する復調処理および復号化処理を前記第２通信方式に準じて行い、前記第２受信データを前記制御部に出力する第２送受信処理部（２５）と、
前記第１送受信処理部から出力された第１送信信号を前記第１レートで前記被測定デバイスの前記第１通信方式に対応したデバイスインタフェースに与え、該デバイスインタフェースから出力された受信信号を前記第１受信信号として前記第１送受信処理部に与える第１インタフェース部（３１）と、
前記第２送受信処理部から出力された第２送信信号を前記第２レートで前記被測定デバイスの前記第２通信方式に対応したデバイスインタフェースに与え、該デバイスインタフェースから出力された受信信号を前記第２受信信号として前記第２送受信処理部に与える第２インタフェース部（３２）とを備えた擬似基地局装置。
【請求項５】
前記第２インタフェース部は、前記被測定デバイスとの間でデジタルのベースバンド信号を授受することを特徴とする請求項４記載の擬似基地局装置。
【請求項６】
前記第１通信方式がＷ−ＣＤＭＡ、前記第２通信方式がＧＳＭであることを特徴とする請求項１〜５のいずれかに記載の擬似基地局装置。
【発明の詳細な説明】
【技術分野】
【０００１】
本発明は、２つの異なる通信方式（例えばＷ−ＣＤＭＡとＧＳＭ）による通信が可能な移動体端末に用いられるＬＳＩチップ等のデバイスの試験を容易に行えるようにするための技術に関する。
【背景技術】
【０００２】
例えば、携帯電話等の移動体端末として、２つの異なる通信方式（例えばＷ−ＣＤＭＡとＧＳＭ）による通信が可能な所謂デュアルモード端末が実現されており、この種の端末やそれに用いるＬＳＩチップの開発や試験の際には、その被試験デバイスとの間で、上記２つの通信方式による通信が行える擬似基地局装置が必要となる。
【０００３】
この試験は、通信方式毎にそれぞれ独立した擬似基地局装置を用いて行うことも可能であるが、異なる通信方式の基地局装置との間のハンドオーバ試験の際には正確な試験が困難となる。
【０００４】
この要求を満たすものとして、例えば、本発明出願人は、次の特許文献１において、２つの端末制御部で異なる２つの通信方式に応じた測定処理を行う試験装置を開示している。
【０００５】
【特許文献１】特開２００５−０１２２７４号公報
【０００６】
上記特許文献１の試験装置のように２つの通信方式に対応した試験が行える擬似基地局装置では、通信方式によるデータレートの違いに対応するために、送受信処理の基準となるクロックを通信方式毎にそれぞれ設ける必要がある。
【０００７】
例えば、Ｗ−ＣＤＭＡの規格上のシンボルレートは３．８４ＭＨｚ、ＧＳＭの規格上のシンボルレートは２７０．８３３３ｋＨｚであり、両者は整数倍の関係になっていない。
このため、従来では、上記のように整数倍の関係になっていない２種類のクロックを発生する方法として、図７に示すように、一つの安定なクロックＣＫ０を基準とし、２つのＰＬＬ回路１０、１１からそれぞれ出力される２つのクロックＣＫ１、ＣＫ２を基準のクロックＣＫ０にロックさせる方法がとられていた。
【発明の開示】
【発明が解決しようとする課題】
【０００８】
しかしながら、上記のようにＰＬＬ回路で２つのクロックを発生して各通信方式の送受信処理を行わせる方法では、ＰＬＬ回路のループ帯域等の制限により、出力されるクロックＣＫ１、ＣＫ２のレートを大幅に変化させることができないため、それぞれの通信方式で実際に使用されるレート（実時間動作速度）の近傍の試験しか行うことができず、例えば開発中で実時間動作が保証されていない被測定デバイスの動作試験を実施することができないという問題があった。
【０００９】
本発明は、この問題を解決し、異なる通信方式で被測定デバイスと通信可能な擬似基地局装置において、実時間動作速度以下の任意の速度で試験が行える擬似基地局装置を提供することを目的としている。
【課題を解決するための手段】
【００１０】
前記目的を達成するために、本発明の請求項１の擬似基地局装置は、
第１通信方式（Ｗ−ＣＤＭＡ）および該第１通信方式に対して少なくとも規格上のシンボルレートが低い第２通信方式（ＧＳＭ）により基地局装置と通信が可能な移動端末機に用いられ、且つ前記２つの通信方式による通信を共通のデバイスインタフェース（１ａ）を介して行えるように構成された被測定デバイス（１）の試験を行うための擬似基地局装置であって、
前記被測定デバイスの少なくともデバイスインタフェースに供給されているクロックを、第１クロック（ＣＫ１）として外部から入力するためのクロック入力端子（２０ａ）と、
前記第１通信方式で前記被測定デバイスを試験するための第１送信データ（Ｄｓ１）を出力し、前記第１通信方式で受信された第１受信データ（Ｄｒ１）の解析を行い、前記第２通信方式で前記被測定デバイスを試験するための第２送信データ（Ｄｓ２）を出力し、前記第２通信方式で受信された第２受信データ（Ｄｒ２）の解析を行う制御部（２１）と、
前記第１送信データに対する符号化処理および変調処理を前記第１通信方式に準じて行い、前記第１クロックに対応する第１レート（ＲＴ１）の第１送信信号（Ｓ１）を出力するとともに、前記第１レートで入力される第１受信信号（Ｒ１）に対する復調処理および復号化処理を前記第１通信方式に準じて行い、前記第１受信データを前記制御部に出力する第１送受信処理部（２３）と、
前記第１クロックまたはその分周信号に対する間引き処理を行い、前記第１通信方式の規格上のシンボルレートの整数倍と前記第２通信方式の規格上のシンボルレートの整数倍との比（γ）に比例したレートの第２クロック（ＣＫ２Ｔ、ＣＫ２Ｒ）を生成する第２クロック発生部（２４）と、
前記第２送信データに対する符号化処理および変調処理を前記第２通信方式に準じて行い、前記第２クロックに対応する第２レート（ＲＴ２）の第２送信信号（Ｓ２）を出力するとともに、前記第２レートまたはその整数倍の第３レートで入力される第２受信信号（Ｒ２）に対する復調処理および復号化処理を前記第２通信方式に準じて行い、前記第２受信データを前記制御部に出力する第２送受信処理部（２５）と、
前記第２送受信処理部から出力された第２送信信号のレートを、前記第１レートに変換して第３送信信号（Ｓ２′）として出力する第１レート変換部（２７）と、
前記第１レートで入力される第３受信信号（Ｒ２′）を前記第２レートまたは前記第３レートに変換し前記第２受信信号として前記第２送受信処理部に出力する第２レート変換部（２８）と、
前記第１クロックを受け、前記第１送受信処理部から出力された第１送信信号と前記第１レート変換部から出力された前記第３送信信号のいずれかを選択的に前記被測定デバイスに前記第１レートで与え、該被測定デバイスから出力された受信信号を前記第１受信信号および前記第３受信信号として前記第１送受信処理部および前記第２レート変換部に与えるインタフェース部（３０）とを備えている。
【００１１】
また、本発明の請求項２の擬似基地局装置は、請求項１記載の擬似基地局装置において、
前記インタフェース部は、前記被測定デバイスとの間でデジタルのベースバンド信号を授受することを特徴としている。
【００１２】
また、本発明の請求項３の擬似基地局装置は、請求項１記載の擬似基地局装置において、
前記インタフェース部は、前記被測定デバイスとの間でアナログのベースバンド信号を授受することを特徴としている。
【００１３】
また、本発明の請求項４の擬似基地局装置は、
第１通信方式（Ｗ−ＣＤＭＡ）および該第１通信方式に対して少なくとも規格上のシンボルレートが低い第２通信方式（ＧＳＭ）により基地局装置と通信が可能な移動端末機に用いられ、且つ前記２つの通信方式による通信をそれぞれ独立したデバイスインタフェース（１ｂ、１ｃ）を介して行えるように構成された被測定デバイス（１）の試験を行うための擬似基地局装置であって、
前記被測定デバイスの前記第１通信方式に対応したデバイスインタフェースに供給されているクロックを、第１クロック（ＣＫ１）として外部から入力するためのクロック入力端子（２０ａ）と、
前記第１通信方式で前記被測定デバイスを試験するための第１送信データ（Ｄｓ１）を出力し、前記第１通信方式で受信された第１受信データ（Ｄｒ１）の解析を行い、前記第２通信方式で前記被測定デバイスを試験するための第２送信データ（Ｄｓ２）を出力し、前記第２通信方式で受信された第２受信データ（Ｄｒ２）の解析を行う制御部（２１）と、
前記第１送信データに対する符号化処理および変調処理を前記第１通信方式に準じて行い、前記第１クロックに対応する第１レート（ＲＴ１）の第１送信信号（Ｓ１）を出力するとともに、前記第１レートで入力される第１受信信号（Ｒ１）に対する復調処理および復号化処理を前記第１通信方式に準じて行い、前記第１受信データを前記制御部に出力する第１送受信処理部（２３）と、
前記第１クロックまたはその分周信号に対する間引き処理を行い、前記第１通信方式の規格上のシンボルレートの整数倍と前記第２通信方式の規格上のシンボルレートの整数倍との比（γ）に比例したレートの第２クロック（ＣＫ２）を生成する第２クロック発生部（２４）と、
前記第２クロックを前記被測定デバイスの前記第２通信方式に対応したデバイスインタフェースに供給するためのクロック出力端子（２０ｂ）と、
前記第２送信データに対する符号化処理および変調処理を前記第２通信方式に準じて行い、前記第２クロックに対応する第２レート（ＲＴ２）の第２送信信号（Ｓ２）を出力するとともに、前記第２レートで入力される第２受信信号（Ｒ２）に対する復調処理および復号化処理を前記第２通信方式に準じて行い、前記第２受信データを前記制御部に出力する第２送受信処理部（２５）と、
前記第１送受信処理部から出力された第１送信信号を前記第１レートで前記被測定デバイスの前記第１通信方式に対応したデバイスインタフェースに与え、該デバイスインタフェースから出力された受信信号を前記第１受信信号として前記第１送受信処理部に与える第１インタフェース部（３１）と、
前記第２送受信処理部から出力された第２送信信号を前記第２レートで前記被測定デバイスの前記第２通信方式に対応したデバイスインタフェースに与え、該デバイスインタフェースから出力された受信信号を前記第２受信信号として前記第２送受信処理部に与える第２インタフェース部（３２）とを備えている。
【００１４】
また、本発明の請求項５の擬似基地局装置は、請求項４記載の擬似基地局装置において、
前記第２インタフェース部は、前記被測定デバイスとの間でデジタルのベースバンド信号を授受することを特徴としている。
【００１５】
また、本発明の請求項６の擬似基地局装置は、請求項１〜５のいずれかに記載の擬似基地局装置において、
前記第１通信方式がＷ−ＣＤＭＡ、前記第２通信方式がＧＳＭであることを特徴としている。
【発明の効果】
【００１６】
このように本発明の擬似基地局装置では、第１通信方式の送受信処理の基準となる第１クロックの周波数を大幅に変更しても、それに応じて第２通信方式の送受信処理の基準となる第２クロックの周波数も、通信方式によって決まる規格上のシンボルレートの比γを維持しながら自動的に変更される。
【００１７】
このため、それぞれの通信方式で実際に使用されるレート（実時間動作速度）での動作試験だけでなく、例えば開発中で実時間動作が保証されていない被測定デバイスの低速な動作試験も実施することができる。
【発明を実施するための最良の形態】
【００１８】
以下、図面に基づいて本発明の実施の形態を説明する。
図１は、本発明を適用した擬似基地局装置２０の構成を示している。
【００１９】
この擬似基地局装置２０は、デュアルモード移動端末を構成するＬＳＩチップ等の被測定デバイス１に入力されるクロック（ベースバンドクロック）を第１クロックＣＫ１として外部から入力するためのクロック入力端子２０ａを有している。
【００２０】
ここで、被測定デバイス１は、第１通信方式（Ｗ−ＣＤＭＡとする）および第１通信方式に対して少なくとも規格上のシンボルレートが低い第２通信方式（ＧＳＭとする）により基地局装置と通信が可能な移動端末機に用いられ、且つ２つの通信方式による通信を共通のデバイスインタフェース１ａを介して行えるように構成されているものとし、そのデバイスインタフェース１ａは第１クロックＣＫ１に対応したレートで信号の授受を行うものとする。
【００２１】
また、第１クロックＣＫ１は、図示しないクロック発生器から供給されるものとし、その周波数ｆ１を任意（例えば１〜２０ＭＨｚ）に可変できるものとする。
【００２２】
制御部２１は、表示装置やキーボードなどの操作部を含むユーザインタフェース２２とともにパーソナルコンピュータ等で構成され、第１通信方式で被測定デバイス１を試験するために必要な第１送信データＤｓ１を第１送受信処理部２３に出力し、第１送受信処理部２３で第１通信方式で受信された第１受信データＤｒ１の解析を行う。
【００２３】
また、第２通信方式で被測定デバイス１を試験するために必要な第２送信データＤｓ２を第２送受信処理部２５に出力し、第２送受信処理部２５で第２通信方式で受信された第２受信データＤｒ２の解析を行い、その解析結果などを表示出力する。また、この制御部２１は、必要に応じて後述するインタフェース部３０の制御も行う。
【００２４】
第１送受信処理部２３は、符号化手段２３ａおよび変調手段２３ｂにより、第１送信データＤｓ１に対する符号化および変調処理を第１通信方式（Ｗ−ＣＤＭＡ）に準じて行い、第１クロックＣＫ１に対応した第１レートＲＴ１の第１送信信号Ｓ１を生成して後述するインタフェース部３０に出力するとともに、復調手段２３ｃおよび復号化手段２３ｄにより、インタフェース部３０から第１レートＲＴ１で出力された第１受信信号Ｒ１に対する復調処理および復号化を第１通信方式に準じて行い、復号化で得られた第１受信データＤｒ１を制御部２１に出力する。
【００２５】
また、第２クロック発生部２４は、第１クロックＣＫ１またはその分周信号に対する間引き処理を行い、第１通信方式の規格上のシンボルレートＣＨＩＰ（Ｗ−ＣＤＭＡの場合チップレートと言う）の整数倍（例えば５倍）と第２通信方式の規格上のシンボルレートＳＹＭの整数倍（例えば４倍）との比γ（＝ＳＹＭ×４／ＣＨＩＰ×５）に比例したレートの第２クロックＣＫ２を生成する。
【００２６】
ここで、ＳＹＭ＝２７０．８３３３……ｋＨｚ、ＣＨＩＰ＝３．８４ＭＨｚとすると、比γは、
γ＝ＳＹＭ×４／ＣＨＩＰ×５＝６５／（７２×１６）
となる。
【００２７】
図２は、第２クロック発生部２４の構成例を示すものであり、第１クロックＣＫ１を分周器２４ａによりＮ分周（例えばＮ＝１６とする）し、その分周信号ＣＫ１／１６を第１処理部２４ｂと第２処理部２４ｃに入力する。
【００２８】
第１処理部２４ｂおよび第２処理部２４ｃは、分周信号ＣＫ１／１６の計数処理、その計数結果に基づく分周信号ＣＫ１／１６の間引き処理（第２クロック生成処理）、後述するレート変換処理のためのフィルタ係数番号指定処理を行う。
【００２９】
即ち、図３の（ａ）に示す第１クロックＣＫ１に対して、分周信号ＣＫ１／１６は図３の（ｂ）に示すように出力される。
【００３０】
第１処理部２４ｂは、図３の（ｃ）に示しているように、分周信号ＣＫ１／１６の計数を順次行い、現計数値ｍに６５を加えた値ｍ′が７２以上のとき、次計数値ｍを７２だけ減算更新するとともに、図３の（ｄ）に示しているように、分周信号ＣＫ１／１６を１パルス分出力し、値ｍ′が７１以下のときには分周信号ＣＫ１／１６の出力を規制するという間引き処理を行い、その間引きされた信号を送信用の第２クロックＣＫ２Ｔとして出力する。
【００３１】
この処理は、分周信号ＣＫ１／１６が７２パルス入力される毎に繰り返され、その７２パルスの入力に対して、第２クロックＣＫ２Ｔは６５パルス出力されることになる。
【００３２】
また、計数値ｍは、０〜７１までの値を間隔７で変化し、この値は後述するレート変換部のフィルタ係数を指定する番号として使用される。
【００３３】
一方、第２処理部２４ｃは、図３の（ｅ）に示しているように、分周信号ＣＫ１／１６の計数を順次行い、現計数値ｎが６５以上のとき、その計数値ｎから６５を減じた値で次計数値を更新し、現計数値ｎが６４以下のとき、その計数値ｎに７を加えた値で次計数値を更新し、図３の（ｆ）に示しているように、更新値が６４以下であれば、分周信号ＣＫ１／１６を１パルス出力し、更新値が６５以上のときには分周信号ＣＫ１／１６の出力を規制するという間引き処理を行い、その間引きされた信号を受信用の第２クロックＣＫ２Ｒとして出力する。
【００３４】
この処理も分周信号ＣＫ１／１６が７２パルス入力される毎に繰り返され、その７２パルスの入力に対して、第２クロックＣＫ２Ｒは６５パルス出力されることになる。
【００３５】
また、計数値ｎは、０〜７１までの値を間隔７で変化し、この値は後述するレート変換部のフィルタ係数を指定する番号として使用される。
【００３６】
第２送受信処理部２５は、符号化手段２５ａおよび変調手段２５ｂにより、第２送信データＤｓ２に対する符号化および変調処理を第２通信方式（ＧＳＭ）に準じて行い、第２クロックＣＫ２Ｔに対応した第２レートＲＴ２の第２送信信号Ｓ２を生成して後述する第１レート変換部２７に出力するとともに、復調手段２５ｃおよび復号化手段２５ｄにより、後述する第２レート変換部２８から第２レートＲＴ２またはその整数倍の第３レートＲＴ３で出力された第２受信信号Ｒ２に対する復調処理および復号化を第２通信方式に準じて行い、復号化で得られた第２受信データＤｒ２を制御部２１に出力する。
【００３７】
第１レート変換部２７は、第２送受信処理部２５から出力された第２送信信号Ｓ２のレートを第１レートＲＴ１に変換し、このレート変換によって得られた第３送信信号Ｓ２′をインタフェース部３０に出力する。
【００３８】
また、第２レート変換部２８は、インタフェース部３０から第１レートＲＴ１で入力される第３受信信号Ｒ２′を第２レートＲＴ２または第３レートＲＴ３に変換し第２受信信号Ｒ２として第２送受信処理部２５に出力する。
【００３９】
図４は、第１レート変換部２７と第２レート変換部２８の構成例を示すものであり、この図において、第１レート変換部２７は、第２送受信処理部２５から出力されてデュアルポートメモリ２７ａに格納された第２送信信号（ベースバンド信号）Ｓ２を、第２クロックＣＫ２Ｔに対応した第２レートＲＴ２で読み出すとともにレート変換器２７ｂにより補間処理を行い、第１レートＲＴ１の１／Ｎにレート変換する。そして、さらに補間器２７ｃによりＮ倍の補間処理（インターポーレーション）を行い、第１レートＲＴ１に変換した第３送信信号Ｓ２′をインタフェース部３０へ出力する。なお、レート変換器２７ｂは補間処理に用いるＦＩＲフィルタの係数の組を予め記憶しており、第２クロック発生部２４から出力されたフィルタ係数指定番号ｍにより指定された組のフィルタ係数を用いて分周信号ＣＫ１／１６の出力毎に処理を行う。
【００４０】
また、第２レート変換部２８は、インタフェース部３０から第１レートＲＴ１で出力された第３受信信号Ｒ２′に対して間引き処理器２８ａにより１／Ｎの間引き処理（デシメーション）を行い、第１レートＲＴ１の１／Ｎにレート変換し、レート変換器２８ｂにより第２クロックＣＫ２Ｒに対応した第２レートＲＴ２でレート変換（補間）処理を行い、第２レートの受信データを得る。この処理により第２レートＲＴ２の受信データが得られるが、ここでは、シンボル点合わせの精度を高めて受信性能をさらに向上させるために、補間器２８ｃにより２倍（あるいは４倍）の補間処理を行い、第３レートＲＴ３に変換し、デュアルポートメモリ２８ｄを介して、第２送受信処理部２５に第２受信信号Ｒ２として出力している。なお、レート変換器２８ｂは補間処理に用いるＦＩＲフィルタの係数の組を予め記憶しており、第２クロック発生部２４から出力されたフィルタ係数指定番号ｎにより指定された組のフィルタ係数を用いて第２クロックＣＫ２Ｒの出力毎に処理を行う。
【００４１】
また、図４の括弧内の値は、各通信方式の規格上のシンボルレートＳＹＭ、ＣＨＩＰを用いたときのレートである。
【００４２】
インタフェース部３０は、第１クロックＣＫ１を受け、第１送受信処理部２３から出力された第１送信信号Ｓ１と第１レート変換部２７から出力された第３送信信号Ｓ２′のいずれかを選択的に被測定デバイス１の共通のデバイスインタフェース１ａに第１レートＲＴ１で与え、被測定デバイス１のデバイスインタフェース１ａから出力された受信信号を第１受信信号Ｒ１および第３受信信号Ｒ２′として第１送受信処理部２３および第２レート変換部２８に与える。
【００４３】
ここで、インタフェース部３０は、被測定デバイス１のデバイスインタフェース１ａがアナログ方式とデジタル方式の場合のいずれにも対応できるように、例えば図５に示すように構成されている。
【００４４】
即ち、インタフェース部３０は、送信データを選択するためのスイッチ３０ａ、アナログの受信信号とデジタルの受信信号を選択するためのスイッチ３０ｂ、Ｄ／Ａ変換器３０ｃ、Ａ／Ｄ変換器３０ｄ、デジタル送信ポート３０ｅ、アナログ送信ポート３０ｆ、デジタル受信ポート３０ｇ、アナログ受信ポート３０ｈとを有しており、Ｄ／Ａ変換器３０ｃ、およびＡ／Ｄ変換器３０ｄは第１クロックＣＫ１に同期したサンプリング動作をする。
【００４５】
以上のように構成されているため、この実施形態の擬似基地局装置２０では、第１通信方式の送受信処理の基準となる第１クロックＣＫ１の周波数を大幅に変更しても、それに応じて第２通信方式の送受信処理の基準となる第２クロックＣＫ２（ＣＫ２Ｔ、ＣＫ２Ｒ）の周波数も、通信方式によって決まる規格上のシンボルレートの比γを維持しながら自動的に変更される。
【００４６】
このため、それぞれの通信方式で実際に使用されるレート（実時間動作速度）の試験だけでなく、例えば開発中で実時間動作が保証されていない被測定デバイスの低速試験も行うことができ、その動作を正しく把握することができる。
【００４７】
上記実施形態は、２つの通信方式による通信を共通のデバイスインタフェース１ａを介して行えるように構成された被測定デバイス１の試験を行う構成であったが、２つの通信方式による通信をそれぞれ独立したデバイスインタフェースを介して行えるように構成された被測定デバイスの試験を行う場合には、図６の擬似基地局装置２０′で対応することが可能である。
【００４８】
この擬似基地局装置２０′では、被測定デバイス１が２つの通信方式に対応したデバイスインタフェース１ｂ、１ｃを有しているので、前記実施形態の第１レート変換部２７、第２レート変換部２８は不要となり、第１送受信処理部２３から出力された第１送信信号Ｓ１を第１インタフェース部３１を介して被測定デバイス１のデバイスインタフェース１ｂに与え、そのデバイスインタフェース１ｂから出力された受信信号を第１受信信号Ｒ１として第１インタフェース部３１を介して第１送受信処理部２３に入力する。なお、第１インタフェース部３１は、前記したインタフェース部３０と同様にデジタルとアナログの送受信信号の授受ができるようになっている。
【００４９】
また、この実施形態では、被測定デバイス１の第２通信方式に対応したデバイスインタフェース１ｃに対して第２クロックＣＫ２を供給するためのクロック出力端子２０ｂを設けている。
【００５０】
つまり、この実施形態では、被測定デバイス１のデバイスインタフェース１ｃは第２レートＲＴ２で信号の授受を行うので、前記した第２送受信処理部２５からの送信信号Ｓ２を第２インタフェース部３２を介して被測定デバイス１のデバイスインタフェース１ｃに与え、そのデバイスインタフェース１ｃから出力された受信信号Ｒ２を第２インタフェース部３２を介して第２送受信処理部２５に入力すればよい。ただし、第２クロックＣＫ２は間引き処理で得られているので、アナログ信号の送受信には対応しておらず、第２インタフェース部３２は、デジタルの送受信信号の授受のみができるようになっており、例えばデジタルバッファのみで構成することができる。
【００５１】
このように構成された擬似基地局装置２０′の場合も、前記実施形態と同様に、第１通信方式の送受信処理の基準となる第１クロックＣＫ１の周波数を大幅に変更しても、それに応じて第２通信方式の送受信処理の基準となる第２クロックＣＫ２の周波数も、通信方式によって決まる規格上のシンボルレートの比γを維持しながら自動的に変更される。
【００５２】
このため、それぞれの通信方式で実際に使用されるレート（実時間動作速度）の試験だけでなく、例えば開発中で実時間動作が保証されていない被測定デバイスの低速試験も行うことができ、その動作を正しく把握することができる。
【図面の簡単な説明】
【００５３】
【図１】本発明の実施形態の構成を示す図
【図２】実施形態の要部の構成例を示す図
【図３】実施形態の要部の動作を説明するための図
【図４】実施形態の要部の構成例を示す図
【図５】実施形態の要部の構成例を示す図
【図６】他の実施形態の構成を示す図
【図７】従来装置の要部の構成例を示す図
【符号の説明】
【００５４】
１……被測定デバイス、１ａ〜１ｃ……デバイスインタフェース、２０、２０′……擬似基地局装置、２０ａ……クロック入力端子、２０ｂ……クロック出力端子、２１……制御部、２２……ユーザインタフェース、２３……第１送受信処理部、２３ａ……符号化手段、２３ｂ……変調手段、２３ｃ……復調手段、２３ｄ……復号化手段、２４……第２クロック発生部、２４ａ……分周器、２４ｂ……第１処理部、２４ｃ……第２処理部、２５……第２送受信処理部、２５ａ……符号化手段、２５ｂ……変調手段、２５ｃ……復調手段、２５ｄ……復号化手段、２７……第１レート変換部、２８……第２レート変換部、３０……インタフェース部、３１……第１インタフェース部、３２……第２インタフェース部
【図１】
2007142853.tif 000003
【図２】
2007142853.tif 000004
【図３】
2007142853.tif 000005
【図４】
2007142853.tif 000006
【図５】
2007142853.tif 000007
【図６】
2007142853.tif 000008
【図７】
2007142853.tif 000009